(57)【要約】【課題】蒸発された有機ハイドライドが凝縮して脱水素反応器内に供給されることによる脱水素反応器内の脱水素触媒の劣化を防止すること。【解決手段】ポンプＰ１１を介して供給される有機ハイドライドを脱水素反応器１０によって水素と脱水素物質とに分解し、水素精製器３０によって前記水素および前記脱水素物質を含んでなる脱水素反応物から水素を精製する水素製造装置１であって、ポンプＰ１１から供給される有機ハイドライドを蒸発させる蒸発器１２と、蒸発器１２から導出された有機ハイドライドを加熱して脱水素反応器１０に導出する加熱器１３と、蒸発器１２から脱水素反応器１０までの所定間の有機ハイドライドの温度を検出する温度検出部５０１〜５０４と、装置起動時に、前記所定間の有機ハイドライドの温度が所定温度以上となった場合にポンプＰ１１を起動して有機ハイドライドの供給を開始する制御部５００と、を備える。【選択図】図１
2018002487.tif 000002
【特許請求の範囲】
【請求項１】
ポンプを介して供給される有機ハイドライドを脱水素反応器によって水素と脱水素物質とに分解し、水素精製器によって前記水素および前記脱水素物質を含んでなる脱水素反応物から水素を精製する水素製造装置であって、
前記ポンプから供給される有機ハイドライドを蒸発させる蒸発器と、
前記蒸発器から導出された有機ハイドライドを加熱して前記脱水素反応器に導出する加熱器と、
前記蒸発器から脱水素反応器までの少なくとも一箇所の所定位置の温度を検出する温度検出部と、
前記水素製造装置起動運転時に、全ての前記所定位置の温度が所定温度以上となった場合に前記ポンプを起動にして前記有機ハイドライドの供給を開始する制御部と、
を備えたことを特徴とする水素製造装置。
【請求項２】
前記脱水素反応器内の圧力を検出する圧力検出部と、
前記脱水素反応器内の圧力を調整する圧力調整弁と、
を備え、
前記制御部は、少なくとも一箇所の前記所定位置の温度が前記所定温度未満となった場合、前記圧力検出部が検出する圧力をもとに前記圧力調整弁を調整して前記脱水素反応器内の圧力を減圧することを特徴とする請求項１に記載の水素製造装置。
【請求項３】
前記制御部は、少なくとも一箇所の前記所定位置の温度が凝縮温度以下となった場合、前記ポンプをオフして有機ハイドライドの供給を停止することを特徴とする請求項１または２に記載の水素製造装置。
【請求項４】
前記温度検出部は、前記蒸発器の温度、前記蒸発器と前記加熱器との間の配管の温度、前記加熱器の温度、前記加熱器と前記脱水素反応器との間の配管の温度を検出し、
前記制御部は、すべての温度が所定温度以上となった場合に前記ポンプを起動して有機ハイドライドの供給を開始することを特徴とする請求項１に記載の水素製造装置。
【請求項５】
前記温度検出部は、前記蒸発器の温度、前記蒸発器と前記加熱器との間の配管の温度、前記加熱器の温度、前記加熱器と前記脱水素反応器との間の配管の温度を検出し、
前記制御部は、少なくとも１つの温度が凝縮温度以下となった場合、前記ポンプを停止して有機ハイドライドの供給を停止することを特徴とする請求項３に記載の水素製造装置。
【発明の詳細な説明】
【技術分野】
【０００１】
本発明は、脱水素反応器の前段に設けられた蒸発器によって蒸発された有機ハイドライドが凝縮して脱水素反応器内に供給されることによる脱水素反応器内の脱水素触媒の劣化を防止することができる水素製造装置に関する。
【背景技術】
【０００２】
従来から、有機ハイドライドの一種である芳香族炭化水素の水素化物を加熱して水素と脱水素物質とに分解する脱水素反応器によって生成された脱水素反応物を水素精製器によって水素を精製する水素ステーションなどの水素製造装置が知られている。
【０００３】
なお、特許文献１には、車両に脱水素反応器を設け、車両運転中に脱水素反応器の触媒の温度を温度センサによって測定し、触媒の温度が所定温度よりも下がった場合に、触媒の温度を昇温させる制御を行うものが記載されている。また、特許文献１には、触媒の温度が所定温度よりも低い場合に、水素化燃料の供給停止を行うものが記載されている。
【先行技術文献】
【特許文献】
【０００４】
【特許文献１】特開２００６−２２６１６７号公報
【発明の概要】
【発明が解決しようとする課題】
【０００５】
ところで、水素製造装置では、脱水素反応器によって有機ハイドライドを加熱して水素と脱水素物質とに分解する際、脱水素触媒を用いてこの分解を促進している。この脱水素触媒は、脱水素反応器内に供給された有機ハイドライドが蒸発状態ではなく、凝縮状態であると、劣化する可能性が高い。
【０００６】
本発明は、上記に鑑みてなされたものであって、脱水素反応器の前段に設けられた蒸発器によって蒸発された有機ハイドライドが凝縮して脱水素反応器内に供給されることによる脱水素反応器内の脱水素触媒の劣化を防止することができる水素製造装置を提供することを目的とする。
【課題を解決するための手段】
【０００７】
上述した課題を解決し、目的を達成するために、本発明にかかる水素製造装置は、ポンプを介して供給される有機ハイドライドを脱水素反応器によって水素と脱水素物質とに分解し、水素精製器によって前記水素および前記脱水素物質を含んでなる脱水素反応物から水素を精製する水素製造装置であって、前記ポンプから供給される有機ハイドライドを蒸発させる蒸発器と、前記蒸発器から導出された有機ハイドライドを加熱して前記脱水素反応器に導出する加熱器と、前記蒸発器から脱水素反応器までの少なくとも一箇所の所定位置の温度を検出する温度検出部と、前記水素製造装置起動運転時に、全ての前記所定位置の温度が所定温度以上となった場合に前記ポンプを起動して前記有機ハイドライドの供給を開始する制御部と、を備えたことを特徴とする。
【０００８】
また、本発明にかかる水素製造装置は、上記の発明において、前記脱水素反応器内の圧力を検出する圧力検出部と、前記脱水素反応器内の圧力を調整する圧力調整弁と、を備え、前記制御部は、少なくとも一箇所の前記所定位置の温度が前記所定温度未満となった場合、前記圧力検出部が検出する圧力をもとに前記圧力調整弁を調整して前記脱水素反応器内の圧力を減圧することを特徴とする。
【０００９】
また、本発明にかかる水素製造装置は、上記の発明において、前記制御部は、少なくとも一箇所の前記所定位置の温度が凝縮温度以下となった場合、前記ポンプを停止して有機ハイドライドの供給を停止することを特徴とする。
【００１０】
また、本発明にかかる水素製造装置は、上記の発明において、前記温度検出部は、前記蒸発器の温度、前記蒸発器と前記加熱器との間の配管の温度、前記加熱器の温度、前記加熱器と前記脱水素反応器との間の配管の温度を検出し、前記制御部は、すべての温度が所定温度以上となった場合に前記ポンプを起動して有機ハイドライドの供給を開始することを特徴とする。
【００１１】
また、本発明にかかる水素製造装置は、上記の発明において、前記温度検出部は、前記蒸発器の温度、前記蒸発器と前記加熱器との間の配管の温度、前記加熱器の温度、前記加熱器と前記脱水素反応器との間の配管の温度を検出し、前記制御部は、少なくとも１つの温度が凝縮温度以下となった場合、前記ポンプを停止して有機ハイドライドの供給を停止することを特徴とする。
【発明の効果】
【００１２】
本発明によれば、蒸発器によって蒸発された有機ハイドライドが凝縮して脱水素反応器内に供給されることによる脱水素反応器内の脱水素触媒の劣化を防止することができる。
【図面の簡単な説明】
【００１３】
【図１】図１は、本発明の実施の形態である水素製造装置の構成を示す回路図である。
【図２】図２は、水素精製器の導入・導出成分流量の関係を示す模式図である。
【図３】図３は、制御部による凝縮防止制御処理手順を示すフローチャートである。
【発明を実施するための形態】
【００１４】
以下、添付図面を参照してこの発明を実施するための形態について説明する。
【００１５】
［全体構成］
図１は、本発明の実施の形態である水素製造装置１の構成を示す回路図である。この水素製造装置１は、脱水素反応により有機ハイドライドから水素を製造する装置であり、例えば燃料電池自動車や水素エンジン車などに水素を供給する水素ステーションに採用されるものである。図１に示すように、水素製造装置１は、脱水素反応系１Ａと水素精製系１Ｂとを有する。脱水素反応系１Ａは、脱水素反応器１０によって有機ハイドライドを水素と脱水素物質とに分解し、当該水素および当該脱水素物質と分解されなかった未分解反応物とを含む脱水素反応物を出力する。水素精製系１Ｂは、脱水素反応系１Ａから導出された脱水素反応物から水素精製器３０によって水素を分離して外部出力する。
【００１６】
有機ハイドライドは、不飽和結合を有する有機化合物の水素化物であり、脱水素触媒を用いて、水素と脱水素物質（不飽和結合を有する有機化合物）とを含む脱水素反応物に分解することができる。有機ハイドライドは、常温常圧下で液体状のものが好ましく、このようなものを採用する場合、ガソリンなどと同様に液体燃料としてローリーなどによって水素ステーションなどの水素製造装置１へ輸送することができる。本実施の形態では、有機ハイドライドとして、メチルシクロヘキサン（以下、ＭＣＨと称する）を用いて説明するが、これには限られない。なお、不飽和結合を有する有機化合物とは、二重結合あるいは三重結合を分子内に一つ以上有し、常温常圧下で液状である有機化合物である。二重結合としては、炭素−炭素二重結合（Ｃ＝Ｃ）、炭素−窒素二重結合（Ｃ＝Ｎ）、炭素−酸素二重結合（Ｃ＝Ｏ）、窒素−酸素二重結合（Ｎ＝Ｏ）が例示される。三重結合としては、炭素−炭素三重結合、炭素−窒素三重結合が例示される。不飽和結合を有する有機化合物としては、貯蔵性および輸送性の観点から、常温常圧下で液体状の有機化合物であることが好ましい。
【００１７】
不飽和結合を有する有機化合物としては、例えばオレフィン類、ジエン類、アセチレン類、ベンゼン、炭素鎖置換芳香族類、へテロ置換芳香族類、多環芳香族類、シフ塩基類、ヘテロ芳香族類、ヘテロ５員環化合物類、キノン類、ケトン類などが挙げられる。オレフィン類としては、エチレン、プロピレン、ブテン、ペンテン、ヘキセン、ヘプテン、オクテン、ノネン、デセン、ウンデセン、ドデセンなどが挙げられる。ジエン類としては、アレン、ブタジエン、ペンタジエン、ヘキサジエン、へブタジエン、オクタジエン、ピペリレン、イソプレンなどが挙げられる。アセチレン類としては、アセチレン、プロピン、ビニルアセチレンなどが挙げられる。炭素鎖置換芳香族類としては、アルキル置換芳香族類などが挙げられる。アルキル置換芳香族類としては、トルエン、キシレン、トリメチルベンゼン、エチルベンゼン、クメン、安息香酸などが挙げられる。へテロ置換芳香族類としては、アニソール、ジメトキシベンゼン、フェノール、アニリン、Ｎ，Ｎ−ジメチルアニリンなどが挙げられる。多環芳香族類としては、ナフタレン、メチルナフタレン、アントラセン、テトラセン、フェナントレン、テトラリン、アズレンなどが挙げられる。シフ塩基類としては、2-aza-hept-1-en-1-yl-cyclohexaneなどが挙げられる。ヘテロ芳香族類としては、ピリジン、ピリミジン、キノリン、イソキノリンなどが挙げられる。ヘテロ５員環化合物類としては、フラン、チオフェン、ピロール、イミダゾールなどが挙げられる。キノン類としては、ベンゾキノン、ナフトキノンなどが挙げられる。ケトン類としては、アセトン、メチルエチルケトンなどが挙げられる。なお、言うまでもないことであるが、二酸化炭素や一酸化炭素は不飽和結合を有しているが一般に有機化合物とは見なされないので、本実施形態における不飽和結合を有する有機化合物から除外される。
【００１８】
上記の不飽和化合物の中でも、ベンゼン、トルエン、キシレン、エチルベンゼン、ナフタレン、メチルナフタレン、テトラリンなど（以下、「ベンゼン等」と記載する。）は、水素化の前後において非水溶性であり、水と相分離可能であるため、生成物としての回収が非常に容易である点において、アセトン等の水溶性の有機化合物よりも好ましい。これらベンゼン等として、純粋な化合物を用いても良いし、複数の化合物の混合物を用いても良い。
【００１９】
［脱水素反応系］
図１に示すように、ローリーなどによって輸送されたＭＣＨは、タンクＴ１１内に貯留される。貯留されたＭＣＨは、ポンプＰ１１によって吸い上げられる。ポンプＰ１１からの吐出流量は、フローコントローラ１００によって制御される。ポンプＰ１１から吐出されたＭＣＨ（Ｌ１）は、予熱器１１によって２０〜１２０℃に昇温される。昇温された液状のＭＣＨ（Ｌ２）は、蒸発器１２によって蒸発され、１８０℃の気化されたＭＣＨ（Ｖ１）となる。ＭＣＨ（Ｖ１）は、さらに加熱器１３によって３００℃に昇温され、ＭＣＨ（Ｖ２）として脱水素反応器１０に入力される。
【００２０】
脱水素反応器１０内には、熱媒油などの熱媒体が通る管が蛇行して配置される。また、脱水素反応器１０内には、脱水素触媒が取り付けられる。ＭＣＨ（Ｖ２）の脱水素反応は吸熱反応であるため、熱媒体としては例えば３５０℃程度のものを用いて、脱水素反応器１０内を通過するＭＣＨ（Ｖ２）の脱水素反応が効率良く行われる３００℃程度に維持できるように脱水素反応器１０内を加熱する。脱水素反応器１０内に導入されたＭＣＨ（Ｖ２）は、水素とトルエンとに分解され、水素とトルエンと未分解のＭＣＨを含む脱水素反応物Ｖ３として３３０℃程度で脱水素反応器１０から導出される。
【００２１】
脱水素反応物Ｖ３は、加熱器１３において、加熱器１３に導入されるＭＣＨ（Ｖ１）と熱交換を行う。熱交換された脱水素反応物Ｖ３は、例えば２１０℃〜２２０℃程度に降温した脱水素反応物Ｖ４となる。この脱水素反応物Ｖ４は、予熱器１１において、予熱器１１に入力されるＭＣＨ（Ｌ１）と熱交換を行う。この予熱器１１において、脱水素反応物Ｖ４とＭＣＨ（Ｌ１）とを熱交換することによって、後段の蒸発器１２での熱交換量を減らすことができる。すなわち、このような構成とすることによって、後述するように、熱媒体を加熱するためのエネルギー消費を抑制することができるため、装置全体のエネルギー効率を高めることができる。この予熱器１１において熱交換されたＭＣＨ（Ｖ５）は、例えば１３０℃〜１４０℃まで降温し、その後、水素精製系１Ｂに導出される。
【００２２】
脱水素反応器１０に導入される熱媒体Ｌ１１は、熱媒ボイラ２１において加熱される。脱水素反応器１０内で吸熱された熱媒体Ｌ１２は、蒸発器１２においてＭＣＨ（Ｌ２）と熱交換してＭＣＨ（Ｌ２）を蒸発させて１８０℃程度まで昇温する。その後、降温した熱媒体Ｌ１３は、ポンプＰ２によって再び熱媒ボイラ２１に入力されて加熱される。本実施形態１において熱媒体は、伝熱効率の観点から熱媒油を採用しているが、これには限られない。なお、熱媒体は、タンクＴ１２に貯留され、熱媒体の循環系において熱媒体が不足する場合には当該循環系を構成する管路に熱媒体が補給され、熱媒体が多い場合には当該循環系を構成する管路から熱媒体が引き抜かれる。
【００２３】
熱媒ボイラ２１は、ラインＬＮ１１を流れるＬＰガスＧ１とラインＬＮ１２を流れる空気Ｇ２とが流入し、ＬＰガスＧ１を燃焼することによって熱媒体Ｌ１３を加熱する。空気Ｇ２は、ブロア２２によって吸引され、空気予熱器２３によって予熱された後、熱媒ボイラ２１に入力される。熱媒ボイラ２１で燃焼した燃焼ガスＧ３は、空気予熱器２３で空気Ｇ２と熱交換を行った後、燃焼排ガスとして大気に排出される。この空気予熱器２３を用いた空気予熱によってエネルギー効率を高めることができる。なお、熱媒ボイラ２１による熱媒体の加熱制御は、温度コントローラ２００が脱水素反応器１０内の温度を検出し、この検出温度をもとにポンプＰ２による熱媒ボイラ２１への熱媒体流量を調整するとともに、温度コントローラ２０１が脱水素反応器１０に流入する熱媒体Ｌ１１の温度を検出し、この検出温度をもとに、フローコントローラ１０３を介して、熱媒ボイラ２１で燃焼するＬＰガスＧ１の流量を調整することによってなされる。フローコントローラ１０３は、バルブＶＬ１０３の開閉制御を行う。
【００２４】
なお、本実施の形態では、熱媒ボイラ２１を用いて熱媒体を加熱し、この加熱された熱媒体によって脱水素反応器１０の加熱を行っている。このような熱媒体を用いた加熱機構を採用すると、例えばバーナーにより直接加熱する加熱機構に比べて、より均一に加熱することができるため、脱水素反応器１０の温度制御をより安定して行うことができる。熱媒体を用いた加熱機構としては、液体状の熱媒体を用いたものには限られず、例えばＬＰガスをバーナーなどによって燃焼した燃焼ガスを直接、脱水素反応器１０内の配管に流入してＭＣＨ（Ｖ２）を加熱するような気体状の熱媒体を用いたものでもよい。また、加熱機構としては、熱媒体を用いたものには限られず、例えばバーナーにより直接加熱する機構を採用しても良い。
【００２５】
本実施の形態による脱水素反応系１Ａでは、脱水素反応器１０から出力される脱水素反応物Ｖ３の熱エネルギーを用いて加熱器１３で脱水素反応器１０に流入するＭＣＨ（Ｖ１）を加熱するとともに、蒸発器１２の前段に配置された予熱器１１が、加熱器１３による熱交換後の脱水素反応物Ｖ４の熱エネルギーを用いて、蒸発前の液状のＭＣＨ（Ｌ１）を予熱するようにしている。この結果、蒸発器１２においてＭＣＨ（Ｌ１）の蒸発に消費される熱媒体Ｌ１２の熱エネルギーを減少することができる。この熱媒体Ｌ１２から失われる熱エネルギーの減少は、熱媒ボイラ２１で消費されるエネルギーの減少をもたらし、結果的に装置全体のエネルギー効率を向上させることができる。
【００２６】
［水素精製系］
一方、予熱器１１を介した脱水素反応物Ｖ５は、水素精製系１Ｂに流入する。脱水素反応物Ｖ５は、冷却器３１で例えば１４０℃から４０℃程度まで冷却され、気液分離器３５によって気液分離される。気液分離器３５で液状物質として分離されない、水素含有量が高い脱水素反応物Ｖ６は、さらに冷却器３２で例えば４０℃から１５℃程度まで冷却され、気液分離器３６によって気液分離される。気液分離器３６で液状物質として分離されず、水素含有量がさらに高まった脱水素反応物Ｖ７は、コンプレッサＰ３によって加圧された脱水素反応物Ｖ３０として水素精製器３０に入力される。なお、コンプレッサＰ３によって加圧された脱水素反応物Ｖ３０は、加圧によって温度上昇するため、水素精製器３０に導入する前に、冷却器３３によって例えば８０℃〜１００℃まで冷却される。
【００２７】
水素精製器３０は、脱水素反応物Ｖ３０から水素を選択的に分離する機能を有するものであり、本実施の形態では膜分離機構を用いたものが採用される。膜分離機構に採用される水素分離膜としては、コンプレッサＰ３から導入される圧力に耐え得る（例えば９００ｋＰａ以上の耐圧性がある）膜として、カーボン膜、パラジウム膜、ゼオライト膜などが挙げられるが、耐圧性や小さい差圧での実用化の観点ではカーボン膜およびゼオライト膜が比較的好ましく、中でもカーボン膜が振動に対する機械的強度の観点で特に好ましい。カーボン膜は、分子量の小さい水素を透過させ、トルエンや未分解物質などの相対的に分子量の大きいものを透過させない機能を有している。コンプレッサＰ３は、２００ｋＰａの脱水素反応物Ｖ７を９００ｋＰａまで昇圧した脱水素反応物Ｖ３０として水素精製器３０に出力する。水素精製器３０における水素分離時の差圧は、２００ｋＰａであるため、分離された水素Ｖ３１は、９０℃で７００ｋＰａとなる。水素Ｖ３１は、冷却器３４で、４０℃まで冷却し、フローコントローラ１０１で調整して７００ｋＰａの水素Ｖ３２として外部へ導出される。すなわち、要求された外部圧力及び温度をもつ製品水素として外部に供給される。
【００２８】
ここで、圧力コントローラ４００は、コンプレッサＰ３が出力する圧力が所定圧となるように制御する。この所定圧は、圧力損失を考慮し、水素精製器３０における水素精製により生じる差圧２００ｋＰａと、水素精製器３０によって分離された水素Ｖ３１の外部出力の圧力７００ｋＰａとを合わせた圧力９００ｋＰａよりも高い圧力にする。コンプレッサＰ３が出力する圧力をこのような所定圧にすることによって、水素精製器３０の後段に従来設けていた、製品水素として必要な圧力に昇圧するための製品水素出力専用のコンプレッサを設ける必要がなくなる。この結果、装置全体をコンパクトにすることができる。また、コンプレッサを分散配置せず、大型のコンプレッサに集約することによって圧力効率を高めることができ、結果的に、水素精製器３０による水素精製処理に必要なエネルギー及び製品水素の供給処理に必要なエネルギーのトータルエネルギーを削減することができる。
【００２９】
なお、気液分離器３５，３６において液状物質として分離されたトルエン含有量が大きく水素が含まれる液化不純物Ｌ２１，Ｌ２２は、タンクＴ１３に捕集され、回収トルエンとして用いられる。回収トルエンは、再び水素と反応させることにより水素化物（ＭＣＨ）として繰り返し使用することができる。
【００３０】
水素精製器３０における膜分離機構の水素分離膜を透過しなかった非透過ガス（第１水素含有物）Ｇ３１は、供給ラインＬＮ１を介して脱水素反応器１０の導入側に入力される。本実施の形態では、第１水素含有物Ｇ３１の加熱を効果的に行うために、第１水素含有物Ｇ３１は、蒸発器１２と加熱器１３との間の配管内に導入される。この第１水素含有物Ｇ３１には水素分離膜を透過できなかった水素が含まれる。第１水素含有物Ｇ３１内の水素が脱水素反応器１０に導入されると、脱水素反応器１０内の脱水素触媒の劣化を抑制することができる。特に、本実施の形態で示すように、第１水素含有物Ｇ３１を脱水素反応器１０の導入側（上流側）から入力することにより、相対的に水素の存在量が少ない当該導入側におけるコーキング現象の発生をより効果的に抑制することができる。
【００３１】
図２は、水素精製器３０の導入・導出成分流量の関係を示す模式図である。図２に示すように、水素精製器３０に導入される脱水素反応物Ｖ３０は、水素：１６．５ｋｍｏｌ／ｈ、その他：０．２ｋｍｏｌ／ｈの流量配分であり、水素含有量が高い。水素精製器３０によって分離される水素（第２水素含有物）Ｖ３１は、水素：１３．４ｋｍｏｌ／ｈであり、水素精製器３０によって分離されなかった第１水素含有物Ｇ３１は、水素：３．１ｋｍｏｌ／ｈ、その他：０．２ｋｍｏｌ／ｈの流量配分となる。すなわち、第１水素含有物Ｇ３１には、水素分離膜を透過できなかった水素が含まれており、この水素を脱水素反応器１０の導入側に導入することによって、脱水素反応器１０内の脱水素触媒の劣化を抑制することができる。
【００３２】
なお、図１において、温度コントローラ２０２〜２０４は、冷却器３１〜３３から出力されたガス温度を検出し、各冷却器３１〜３３に流入する冷却水の流量を調整することによって温度制御を行っている。ここで、冷却器３１，３３，３４は、必要冷却能力が小さいため、クーリングタワーを介して自然冷却した冷却水を用いており、冷却器３２は、必要冷却能力が大きいため、チラーを介して強制的に電気冷却した冷却水を用いている。なお、クーリングタワーを有効活用し、冷却器３１，３２による多段冷却を行うことによって強制冷却による電力消費が抑えられるため、装置全体のエネルギー効率を高めることができる。
【００３３】
また、気液分離器３５，３６の液化したトルエンの排出は、それぞれレベルコントローラ３０１，３０２によって排出制御される。すなわち、レベルコントローラ３０１，３０２は、それぞれ検出する液面が所定高さ以上となった場合にバルブを開いてトルエンをタンクＴ１３に排出する。また、フローコントローラ１０１は、水素Ｖ３２の導出流量が所定流量となるように、バルブを制御する。さらに、フローコントローラ１０２は、第１水素含有物Ｇ３１の流量が所定流量となるように、バルブを制御する。
【００３４】
［凝縮防止制御処理］  ここで、図１に示した制御部５００による凝縮防止制御処理について説明する。図１に示すように、蒸発器１２には、蒸発器１２の温度Ｔ１を検出する温度検出部５０１が設けられる。蒸発器１２と加熱器１３との間の供給ラインＬＮ１０には、この供給ラインＬＮ１０の配管温度、例えば配管外壁の温度Ｔ２を検出する温度検出部５０２が設けられる。加熱器１３には、加熱器１３の温度Ｔ３を検出する温度検出部５０３が設けられる。加熱器１３と脱水素反応器１０との間の供給ラインＬＮ１０には、この供給ラインＬＮ１０の配管温度、例えば配管外壁の温度Ｔ４を検出する温度検出部５０４が設けられる。また、脱水素反応器１０には、脱水素反応器１０内の圧力Ｐ１を検出する圧力検出部５０５が設けられる。さらに、脱水素反応器１０の出口側には、脱水素反応器１０内の圧力を調整する圧力調整弁ＶＰが設けられる。制御部５００は、温度Ｔ１〜Ｔ４及び圧力Ｐ１を取得し、ポンプＰ１１及び圧力調整弁ＶＰを制御する。
【００３５】
つぎに、図３に示したフローチャートを参照して、制御部５００による凝縮防止制御処理手順について説明する。まず、制御部５００は、温度Ｔ１〜Ｔ４を取得し、温度Ｔ１〜Ｔ４の全てが所定温度Ｔａ以上であるか否かを判断する（ステップＳ１０１）。温度Ｔ１〜Ｔ４の全てが所定温度Ｔａ以上である場合（ステップＳ１０１，Ｙｅｓ）には、蒸発器１２、加熱器１３、及び供給ラインＬＮ１０内の有機ハイドライドが蒸発しているので、ポンプＰ１１をオンにして起動する（ステップＳ１０２）。一方、温度Ｔ１〜Ｔ４の全てが所定温度Ｔａ以上でない場合（ステップＳ１０１，Ｎｏ）には、ステップＳ１０１の判断処理を繰り返し、ポンプＰ１１をオフ状態にする。なお、温度Ｔ１〜Ｔ４のいずれか、あるいは全てが所定温度Ｔａを超える高い温度である場合、蒸発器１２あるいは加熱器１３による加熱を停止する。
【００３６】
制御部５００は、ステップＳ１０２によるポンプＰ１１の起動後、温度Ｔ１〜Ｔ４の少なくとも１つが所定温度Ｔａ未満であるか否かを判断する（ステップＳ１０３）。温度Ｔ１〜Ｔ４の少なくとも１つが所定温度Ｔａ未満である場合（ステップＳ１０３，Ｙｅｓ）には、圧力調整弁ＶＰを調整して圧力Ｐ１を減圧する（ステップＳ１０４）。この圧力Ｐ１を減圧すると、有機ハイドライドの凝縮温度を下げることができる。一方、温度Ｔ１〜Ｔ４の少なくとも１つが所定温度Ｔａ未満でない場合（ステップＳ１０３，Ｎｏ）には、ステップＳ１０３の判断処理を繰り返す。
【００３７】
制御部５００は、ステップＳ１０４による圧力Ｐ１の減圧処理後、さらに温度Ｔ１〜Ｔ４の少なくとも１つが凝縮温度Ｔｃ以下であるか否かを判断する（ステップＳ１０５）。温度Ｔ１〜Ｔ４の少なくとも１つが凝縮温度Ｔｃ以下である場合（ステップＳ１０５，Ｙｅｓ）には、ポンプＰ１１を停止し（ステップＳ１０６）、本処理を終了する。一方、温度Ｔ１〜Ｔ４の少なくとも１つが凝縮温度Ｔｃ以下でない場合（ステップＳ１０５，Ｎｏ）には、ステップＳ１０３に移行して、上述した処理を繰り返す。なお、上述した処理は、所定時間毎、繰り返し行われる。
【００３８】
上述した凝縮防止制御処理を行うことによって、脱水素反応器１０内に凝縮状態の有機ハイドライドが供給されず、脱水素反応器１０内の脱水素触媒の劣化を防止することができる。
【００３９】
また、脱水素反応器１０の前段に設けられた蒸発器１２によって蒸発した有機ハイドライドが、脱水素反応器１０までの供給ラインＬＮ１０内で凝縮すると、供給ラインＬＮ１０に詰まりが生じることによる供給ラインＬＮ１０内の急な圧力変動が生じやすいが、上述した凝縮防止制御処理を行うことによって、この圧力変動を未然に防止することができる。
【００４０】
なお、ポンプＰ１１起動時の流量は、少量とし、段階的に流量を増大させて定格流量とすることが望ましい。これは、ポンプＰ１１起動時から定格流量とすると、有機ハイドライドの気化熱によって、蒸発器１２、加熱器１３、供給ラインＬＮ１０の温度が急激に低下し、凝縮温度Ｔｃ以下となる可能性があるからである。しかし、ポンプＰ１１起動時に定格流量にして有機ハイドライドが凝縮温度Ｔｃ以下となったとしても、上述した凝縮防止制御処理を行うことによって、ポンプＰ１１は停止し、有機ハイドライドの凝縮が防止される。
【００４１】
なお、上述した凝縮防止制御処理では、蒸発器１２〜脱水素反応器１０までの間の複数箇所に設けた温度検出部５０１〜５０４が検出した温度Ｔ１〜Ｔ４を用いていたが、さらに複数箇所に温度検出部を設けてもよいし、少なくしてもよい。また、１つの温度検出部のみ、例えば温度検出部５０２のみであってもよい。
【００４２】
また、上述した凝縮防止制御処理では、圧力調整弁ＶＰの調整を行って圧力Ｐ１を減圧するようにしていたが、この処理（ステップＳ１０３，Ｓ１０４）を行わなくてもよい。この場合、ポンプＰ１１の起動（ステップＳ１０２）後、ステップＳ１０５の処理を行うことになる。
【００４３】
また、上述した実施の形態における水素精製器３０は、膜分離方式を用いたものであったが、これに限らず、圧力スイング吸着（ＰＳＡ：Pressure Swing Adsorption）方式の水素分離器であるＰＳＡ装置や、温度スイング吸着（ＴＳＡ：Temperature Swing Adsorption）方式の水素精製器を用いてもよい。
【符号の説明】
【００４４】
１  水素製造装置
１Ａ  脱水素反応系
１Ｂ  水素精製系
１０  脱水素反応器
１１  予熱器
１２  蒸発器
１３  加熱器
２１  熱媒ボイラ
２２  ブロア
２３  空気予熱器
３０  水素精製器
３１，３２，３３，３４  冷却器
３５，３６  気液分離器
１００，１０１，１０２，１０３  フローコントローラ
２００，２０１，２０２，２０３，２０４  温度コントローラ
３０１，３０２  レベルコントローラ
４００  圧力コントローラ
Ｇ１  ＬＰガス
Ｇ２  空気
Ｇ３１  第１水素含有物
Ｌ１１，Ｌ１２，Ｌ１３  熱媒体
Ｌ２１，Ｌ２２  液化不純物
Ｐ１  圧力
Ｐ２，Ｐ１１  ポンプ
Ｐ３  コンプレッサ
Ｔ１〜Ｔ４  温度
Ｔ１１〜Ｔ１３  タンク
Ｖ３〜Ｖ７，Ｖ３０  脱水素反応物
Ｖ３１，Ｖ３２  水素
ＶＬ１０３  バルブ
ＬＮ１，ＬＮ３，ＬＮ１０  供給ライン
ＬＮ１１，ＬＮ１２  ライン
【図１】
2018002487.tif 000003
【図２】
2018002487.tif 000004
【図３】
2018002487.tif 000005